【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
近接場通信（ＮＦＣ）通信用ＮＦＣデバイスにおける１つまたは複数の信号の使用を可能にする方法であって、
ＮＦＣコントローラにおいて、デバイスホストからステイ・クワイエット・コマンドを受信することと、ここにおいて、前記ステイ・クワイエット・コマンドは、１つのまたは複数のリモートＮＦＣエンドポイントに対応する１つまたは複数の固有の識別子（ＵＩＤ）を含む、
前記ＮＦＣコントローラによって、前記ステイ・クワイエット・コマンドに少なくとも部分的に基づいて、前記デバイスホストに、ステイ・クワイエット応答を送信することと、
を備える、方法。
【請求項２】
前記ＮＦＣコントローラによって、前記１つまたは複数のＵＩＤに少なくとも部分的に基づいて、前記ＮＦＣデバイスの範囲内の１つまたは複数のＮＦＣエンドポイントに１つまたは複数のステイ・クワイエット要求を送信することと、
前記ＮＦＣコントローラによって、前記１つまたは複数のステイ・クワイエット要求の前記送信の完了に少なくとも部分的に基づいて、前記デバイスホストにステイ・クワイエット通知を送信することと、
をさらに備える、請求項１に記載の方法。
【請求項３】
前記デバイスホストが、ポーリングモードにあり、前記フレームＲＦインターフェースが、タイプ５プロトコルのために活性化されたときに前記ステイ・クワイエット・コマンドが受信される、請求項１に記載の方法。
【請求項４】
前記１つまたは複数のステイ・クワイエット要求は、少なくとも１つまたは複数のパラメータ値を使用するデータ交換プロトコルを使用して送信される、請求項１に記載の方法。
【請求項５】
前記１つまたは複数のパラメータ値は、ＲＦ技術およびモードパラメータのうちの１つまたは両方を含む、請求項４に記載の方法。
【請求項６】
前記ＲＦ技術およびモードパラメータは、ＮＦＣ−Ｖ技術に対応する、請求項５に記載の方法。
【請求項７】
前記ステイ・クワイエット・コマンドは、前記１つまたは複数のＵＩＤに対応するリモートＮＦＣエンドポイントの数のフィールドをさらに含み、前記ＮＦＣコントローラは、リモートＮＦＣエンドポイントの前記数に対応する数のステイ・クワイエット要求を送信する、請求項１に記載の方法。
【請求項８】
前記ＮＦＣデバイスの範囲内の前記１つまたは複数のＮＦＣエンドポイントの各々は、ＵＩＤを含み、前記１つまたは複数のステイ・クワイエット要求内の前記１つまたは複数のＵＩＤのうちの１つが前記ＵＩＤと一致することを判断することに少なくとも部分的に基づいて、クワイエット状態に入るように構成されている、請求項１に記載の方法。
【請求項９】
前記ステイ・クワイエット応答は、前記ステイ・クワイエット・コマンドが受信されたことを前記デバイスホストに示すステータス値を含む、請求項１に記載の方法。
【請求項１０】
前記１つまたは複数のＮＦＣエンドポイントは、遠隔ＮＦＣタグ、またはピアＮＦＣデバイス、または読取デバイス、またはライタデバイス、またはＮＦＣカードのうちの、少なくとも、１つまたは複数を含む、請求項１に記載の方法。
【請求項１１】
近接場通信（ＮＦＣ）通信用ＮＦＣデバイスにおける１つまたは複数の信号の使用を可能にするための装置であって、
ＮＦＣコントローラにおいて、デバイスホストからステイ・クワイエット・コマンドを受信するための手段と、ここにおいて、前記ステイ・クワイエット・コマンドは、１つまたは複数のリモートＮＦＣエンドポイントに対応する１つまたは複数の固有の識別子（ＵＩＤ）を含む、
前記ＮＦＣコントローラによって、前記ステイ・クワイエット・コマンドに少なくとも部分的に基づいて、前記デバイスホストにステイ・クワイエット応答を送信するための手段と、
を備える装置。
【請求項１２】
前記ＮＦＣコントローラによって、前記１つまたは複数のＵＩＤに少なくとも部分的に基づいて、前記ＮＦＣデバイスの範囲内の1つまたは複数のＮＦＣエンドポイントに１つまたは複数のステイ・クワイエット要求を送信するための手段と、
前記ＮＦＣコントローラによって、前記１つまたは複数のステイ・クワイエット要求の前記送信の完了に少なくとも部分的に基づいて、前記デバイスホストにステイ・クワイエット通知を送信するための手段と、
をさらに備える、請求項１１に記載の装置。
【請求項１３】
前記デバイスホストが、ポーリングモードにあり、前記フレームＲＦインターフェースが、タイプ５プロトコルのために活性化されたときに前記ステイ・クワイエット・コマンドが受信される、請求項１１に記載の装置。
【請求項１４】
前記１つまたは複数のステイ・クワイエット要求は、少なくとも１つまたは複数のパラメータ値を使用するデータ交換プロトコルを使用して送信され、前記１つまたは複数のパラメータ値は、ＲＦ技術およびモードパラメータのうちの１つまたは両方を含む、請求項１１に記載の装置。
【請求項１５】
請求項１〜１０のうちの一項の方法のすべてのステップを実行するためにコンピュータ実行可能なプログラム命令を備える、コンピュータプログラム。
【手続補正２】
【補正対象書類名】明細書
【補正対象項目名】００６２
【補正方法】変更
【補正の内容】
【００６２】
[0070]上記の開示は、例示的な態様および/または態様を説明している一方で、説明された態様および／または添付の特許請求の範囲によって定義された態様の範囲から逸脱することなく、様々な変更および修正が本明細書で行われうることに留意されたい。さらに、説明された態様および/または態様の要素は、単数形で説明または特許請求されうるが、単数形に限定することが明記されていない限り、複数形が企図される。さらに、任意の態様および/または態様の全部または一部は、別段の規定がない限り、任意の他の態様および/または態様の全部または一部とともに利用されうる。
以下に本願の出願当初の特許請求の範囲に記載された発明を付記する。
[Ｃ１]  近接場通信（ＮＦＣ）通信用ＮＦＣデバイスにおける１つまたは複数の信号の使用を可能にする方法であって、
ＮＦＣコントローラにおいて、デバイスホストからステイ・クワイエット・コマンドを受信することと、ここにおいて、前記ステイ・クワイエット・コマンドは、１つのまたは複数のリモートＮＦＣエンドポイントに対応する１つまたは複数の固有の識別子（ＵＩＤ）を含む、
前記ＮＦＣコントローラによって、前記ステイ・クワイエット・コマンドに少なくとも部分的に基づいて、前記デバイスホストに、ステイ・クワイエット応答を送信することと、
を備える、方法。
[Ｃ２]  前記ＮＦＣコントローラによって、前記１つまたは複数のＵＩＤに少なくとも部分的に基づいて、前記ＮＦＣデバイスの範囲内の１つまたは複数のＮＦＣエンドポイントに１つまたは複数のステイ・クワイエット要求を送信することと、
前記ＮＦＣコントローラによって、前記１つまたは複数のステイ・クワイエット要求の前記送信の完了に少なくとも部分的に基づいて、前記デバイスホストにステイ・クワイエット通知を送信することと、
をさらに備える、Ｃ１に記載の方法。
[Ｃ３]  前記デバイスホストが、ポーリングモードにあり、前記フレームＲＦインターフェースがタイプ５プロトコルのために活性化されたときに前記ステイ・クワイエット・コマンドが受信される、Ｃ１に記載の方法。
[Ｃ４]  前記１つまたは複数のステイ・クワイエット要求は、少なくとも１つまたは複数のパラメータ値を使用するデータ交換プロトコルを使用して送信される、Ｃ１に記載の方法。
[Ｃ５]  前記１つまたは複数のパラメータ値は、ＲＦ技術およびモードパラメータのうちの１つまたは両方を含む、Ｃ４に記載の方法。
[Ｃ６]  前記ＲＦ技術およびモードパラメータは、ＮＦＣ−Ｖ技術に対応する、Ｃ５に記載の方法。
[Ｃ７]  前記ステイ・クワイエット・コマンドは、前記1つまたは複数のＵＩＤに対応するリモートＮＦＣエンドポイントの数のフィールドをさらに含み、前記ＮＦＣコントローラは、リモートＮＦＣエンドポイントの前記数に対応するステイ・クワイエット要求の数を送信する、Ｃ１に記載の方法。
[Ｃ８]  前記ＮＦＣデバイスの範囲内の前記１つまたは複数のＮＦＣエンドポイントの各々は、ＵＩＤを含み、前記１つまたは複数のステイ・クワイエット要求内の前記１つまたは複数のＵＩＤのうちの１つが前記ＵＩＤと一致することを判断することに少なくとも部分的に基づいて、クワイエット状態に入るように構成されている、Ｃ１に記載の方法。
[Ｃ９]  前記ステイ・クワイエット応答は、前記ステイ・クワイエット・コマンドが受信されたことを前記デバイスホストに示すステータス値を含む、Ｃ１に記載の方法。
[Ｃ１０]  前記１つまたは複数のＮＦＣエンドポイントは、遠隔ＮＦＣタグ、またはピアＮＦＣデバイス、または読取デバイス、またはライタデバイス、またはＮＦＣカードのうちの、少なくとも、１つまたは複数を含む、Ｃ１に記載の方法。
[Ｃ１１]  近接場通信（ＮＦＣ）通信用ＮＦＣデバイスにおける１つまたは複数の信号の使用を可能にするための装置であって、
ＮＦＣコントローラにおいて、デバイスホストからステイ・クワイエット・コマンドを受信するための手段と、ここにおいて、前記ステイ・クワイエット・コマンドは、１つまたは複数のリモートＮＦＣエンドポイントに対応する１つまたは複数の固有の識別子（ＵＩＤ）を含む、
前記ＮＦＣコントローラによって、前記ステイ・クワイエット・コマンドに少なくとも部分的に基づいて、前記デバイスホストにステイ・クワイエット応答を送信するための手段と、
を備える装置。
[Ｃ１２]  前記ＮＦＣコントローラによって、前記１つまたは複数のＵＩＤに少なくとも部分的に基づいて、前記ＮＦＣデバイスの範囲内の1つまたは複数のＮＦＣエンドポイントに１つまたは複数のステイ・クワイエット要求を送信するための手段と、
前記ＮＦＣコントローラによって、前記１つまたは複数のステイ・クワイエット要求の前記送信の完了に少なくとも部分的に基づいて、前記デバイスホストにステイ・クワイエット通知を送信するための手段と、
を備える、Ｃ１１に記載の装置。
[Ｃ１３]  前記デバイスホストが、ポーリングモードにあり、前記フレームＲＦインターフェースが、タイプ５プロトコルのために活性化されたときに前記ステイ・クワイエット・コマンドが受信される、Ｃ１１に記載の装置。
[Ｃ１４]  前記１つまたは複数のステイ・クワイエット要求は、少なくとも、１つまたは複数のパラメータ値を使用するデータ交換プロトコルを使用して送信される、Ｃ１１に記載の装置。
[Ｃ１５]  前記１つまたは複数のパラメータ値は、ＲＦ技術およびモードパラメータのうちの１つまたは両方を含む、Ｃ１４に記載の装置。
[Ｃ１６]  近接場通信（ＮＦＣ）通信のためのＮＦＣデバイスにおける１つまたは複数の信号の使用を可能にするための装置であって、
データを記憶するように構成されたメモリと、
メモリと通信可能に結合された１つまたは複数のプロセッサとを備え、ここにおいて、前記１つまたは複数のプロセッサは、
ＮＦＣコントローラにおいて、デバイスホストからステイ・クワイエット・コマンドを受信し、ここにおいて、前記ステイ・クワイエット・コマンドは、１つまたは複数のリモートＮＦＣエンドポイントに対応する１つまたは複数の固有の識別子（ＵＩＤ）を含む、
前記ＮＦＣコントローラによって、前記ステイ・クワイエット・コマンドに少なくとも部分的に基づいて、前記デバイスホストにステイ・クワイエット応答を送信する
ように構成される、
装置。
[Ｃ１７]  前記１つまたは複数のプロセッサおよび前記メモリは、
前記ＮＦＣコントローラによって、前記１つまたは複数のＵＩＤに少なくとも部分的に基づいて、前記ＮＦＣデバイスの範囲内の１つまたは複数のＮＦＣエンドポイントに１つまたは複数のステイ・クワイエット要求を送信し、
前記ＮＦＣコントローラによって、前記１つまたは複数のステイ・クワイエット要求の前記送信の完了に少なくとも部分的に基づいて、前記デバイスホストにステイ・クワイエット通知を送信する、
ようにさらに構成される、Ｃ１６に記載の装置。
[Ｃ１８]  前記デバイスホストが、ポーリングモードにあり、前記フレームＲＦインターフェースが、タイプ５プロトコルのために活性化されたときに前記ステイ・クワイエット・コマンドが受信される、Ｃ１６に記載の装置。
[Ｃ１９]  前記１つまたは複数のステイ・クワイエット要求は、少なくとも、１つまたは複数のパラメータ値を使用するデータ交換プロトコルを使用して送信される、Ｃ１６に記載の装置。
[Ｃ２０]  前記１つまたは複数のパラメータ値は、ＲＦ技術およびモードパラメータのうちの１つまたは両方を含む、Ｃ１９に記載の装置。
[Ｃ２１]  前記ＲＦ技術およびモードパラメータは、ＮＦＣ−Ｖ技術に対応する、Ｃ２０に記載の装置。
[Ｃ２２]  前記ステイ・クワイエット・コマンドは、前記１つのまたは複数のＵＩＤに対応するリモートＮＦＣエンドポイントの数のフィールドをさらに含み、前記ＮＦＣコントローラは、リモートＮＦＣエンドポイントの前記数に対応するステイ・クワイエット要求の数を送信する、Ｃ１６に記載の装置。
[Ｃ２３]    前記ＮＦＣデバイスの範囲内の前記１つまたは複数のＮＦＣエンドポイントの各々は、ＵＩＤを含み、前記１つまたは複数のステイ・クワイエット要求内の前記１つまたは複数のＵＩＤのうちの１つが前記ＵＩＤと一致することを判断することに少なくとも部分的に基づいて、クワイエット状態に入るように構成されている、Ｃ１６に記載の装置。
[Ｃ２４]  前記ステイ・クワイエット応答は、前記ステイ・クワイエット・コマンドが受信されたことを前記デバイスホストに示すステータス値を含む、Ｃ１６に記載の装置。
[Ｃ２５]  前記１つまたは複数のＮＦＣのエンドポイントは、リモートＮＦＣタグ、またはピアＮＦＣデバイス、または読取デバイス、またはライタデバイス、またはＮＦＣカードのうちの、少なくとも、１つまたは複数を含む、Ｃ１６に記載の装置。
[Ｃ２６]  近接場通信（ＮＦＣ）通信用近接場通信（ＮＦＣ）デバイスにおける、１つまたは複数の信号の使用を可能にするためのコンピュータ実行可能コードを記憶するコンピュータ可読媒体であって、
ＮＦＣコントローラにおいて、デバイスホストからステイ・クワイエット・コマンドを受信するためのコードと、前記ステイ・クワイエット・コマンドは、１つのまたは複数のリモートＮＦＣエンドポイントに対応する１つまたは複数の固有の識別子（ＵＩＤ）を含む、
前記ＮＦＣコントローラによって、前記ステイ・クワイエット・コマンドに少なくとも部分的に基づいて、前記デバイスホストにステイ・クワイエット応答を送信するためのコードと、
を備える、コンピュータ可読媒体。
[Ｃ２７]  前記ＮＦＣコントローラによって、前記１つまたは複数のＵＩＤに少なくとも部分的に基づいて、前記ＮＦＣデバイスの範囲内の１つまたは複数のＮＦＣエンドポイントに１つまたは複数のステイ・クワイエット要求を送信するためのコードと、
前記ＮＦＣコントローラによって、前記１つまたは複数のステイ・クワイエット要求の前記送信の完了に少なくとも部分的に基づいて、前記デバイスホストにステイ・クワイエット通知を送信するためのコードと、
をさらに備える、Ｃ２６に記載のコンピュータ可読媒体。
[Ｃ２８]  前記デバイスホストが、ポーリングモードにあり、前記フレームＲＦインターフェースが、タイプ５プロトコルのために活性化されたときに前記ステイ・クワイエット・コマンドが受信される、Ｃ２６に記載のコンピュータ可読媒体。
[Ｃ２９]  前記１つまたは複数のステイ・クワイエット要求は、少なくとも、１つまたは複数のパラメータ値を使用するデータ交換プロトコルを使用して送信される、Ｃ２６に記載のコンピュータ可読媒体。
[Ｃ３０]  前記１つまたは複数のパラメータ値は、ＲＦ技術とモードパラメータのうちの１つまたは両方を含む、Ｃ２９に記載のコンピュータ可読媒体。